(57)【要約】【課題】係合舌に対する損傷を防ぐことが可能なケーブル結束具を提供する。【解決手段】本発明はケーブル束線具に関する。これは、握りタブに挿入部を連結する部分の周囲領域で、挿入部に対し横断して延びる翼状の突起を設け、この突起（11）は、握りタブよりも薄く、この握りタブに向けて隆起部（12）に末端を連結しており、帯状のループを形成する前記隆起部は、固定ヘッド（１）の貫通穴（６）に挿入され、且つこの貫通穴（６）の向かい合った各壁を押圧する各突起（11）を備えて、固定ヘッド（１）に接するように設けられている。そして、各突起（11）が握りタブよりも薄いことによって、挿入部と係合舌（８）との間にクリアランス間隔（13）が形成される。
2006522580.tif 000002
【特許請求の範囲】
【請求項１】
一定の幅と厚さを有する細長状の帯部（２）を備え、
この帯部の一端には当該帯部（２）よりも狭く、握りタブ（４）に末端を連結する細長状の挿入部（３）を有すると共に、帯部の他端には固定ヘッド（１）を有し、
前記固定ヘッド（１）は、その一方では帯部（２）に向けて、この帯部（２）よりも幾分幅が広く、しかも前記帯部（２）の厚さよりも幾分大きな高さの貫通する穴（６）を備えると共に、他方では前記穴（６）の一つの横断壁にある溝形状の凹部（７）を備えており、
前記凹部（７）は、この凹部（７）を通って前記挿入部（３）が前記穴（６）に挿入され、帯状のループを形成できるような幅を有しており、ポジティブなインターロックによって、前記固定ヘッド（１）に対して前記帯部（２）を固定するために、前記帯部（２）の歯（10）と、前記固定ヘッド（１）にあって歯（９）を提供する係止舌（８）とを設けているケーブル結束具において、
前記握りタブ（４）に前記挿入部（３）を連結する部分の周囲領域で、前記挿入部（３）に対し横断して延びる翼状の突起（11）を設け、
この突起（11）は、前記握りタブ（４）よりも薄く、この握りタブ（４）に向けて隆起部（12）に末端を連結しており、
前記帯状のループを形成する前記隆起部は、前記固定ヘッド（１）の貫通穴（６）に挿入され、且つこの貫通穴（６）の向かい合った各壁を押圧する前記各突起（11）を備えて、前記固定ヘッド（１）に接するように設けられ、
前記各突起（11）が前記握りタブ（４）よりも薄いことによって、前記挿入部（３）と前記係合舌（８）との間にクリアランス間隔（13）が形成されることを特徴とするケーブル結束具。
【請求項２】
前記突起（11）が、前記握りタブ（４）に結合されることを特徴とする請求項１記載のケーブル結束具。
【発明の詳細な説明】
【技術分野】
【０００１】
本発明は、請求項１の前節にあるケーブル結束具に関する。
【背景技術】
【０００２】
これは、国際公開第９９／１８００５号に開示されるような分野の従来技術に共通して、本発明が有するものに引用される。
【０００３】
オープン型の固定ヘッドを有するケーブル結束体、すなわちケーブルタイは、挿入部に向けて固定ヘッドがスリットを有しており、当該固定ヘッドに帯（バンド）を素早く挿入できるようになっている。こうしたケーブルタイの特に有利な点は、一時的なループを容易に形成できることにあり、そこからループを開状態にしたり、線材の束をループに簡単に通し、その後で線材を一纏めに締め付けることが可能になる。
【０００４】
前記固定ヘッドにはラチェット歯を備えた係合舌が設けられ、結束具が締め付けられた時に、帯のラチェット歯すなわちリブと係合するようになっているが、このラチェット歯を備えた係合舌が損傷することがあると、係合舌とリブとの間の係合が正常に機能しなくなり、ケーブル結束具としての機能が失われる危険性がある。
【特許文献１】国際公開第９９／１８００５号
【発明の開示】
【発明が解決しようとする課題】
【０００５】
本発明の目的は、係合舌に対するそうした損傷を防ぐことにある。
【課題を解決するための手段】
【０００６】
上記目的は、本発明に基づいて、請求項１の後段部分に規定された特徴部分により達成される。
【発明を実施するための最良の形態】
【０００７】
以下、本発明に基づくケーブル結束具の平面図を図１で示すが、この図１の添付図面を参照して、より詳細に本発明が記述されるであろう。図２ａおよび図２ｂは、それぞれ帯に沿う断面図と、帯を通した断面図であり、本発明に基づく結束具が、ケーブル結束具の挿入部と係止舌との間のクリアランス間隔を、どのようにして達成したのかを示している。図３ａは、図１に示す実施形態において、本発明に基づくケーブル結束具の詳細な平面図である。図３ｂは、本発明に基づくケーブル結束具の別な実施態様における詳細な平面図である。
【０００８】
図１に示した本発明に基づくケーブル結束具の実施態様において、ここでのケーブル結束具は、ハウジング部１と、帯部２と、この帯部２よりも幅狭な挿入部３と、握りタブとなる端部４と、により構成される。帯部２は、挿入部３のようにあらゆる長さの本質となるものであるが、少なくとも挿入部３は、ハウジング１と等しい長さであるべきである。端部４は帯部２よりも幅が広くなっていると共に、例えば束ねたケーブルやそれと同等物の周りに前記帯部を締め付けたときに、端部の握りを容易にするために、少なくとも端部４の一方の側に隆起５を備えている。
【０００９】
ハウジング１は貫通する穴６を備えていて、この穴６はハウジングの長手方向に、且つ帯の各部分２〜４に対して横方向に延びている。溝形状の凹部７は、ハウジング１の上側壁を貫通して延びていて、挿入部３に適合するような幅を有しており、挿入部３を降下させて貫通穴６へと導くガイド端縁として見なすこともできるような、外方への傾斜端縁を備えている。舌８の形状をなす係合部材は、貫通穴６に配置される。舌８は貫通穴６の底部から形成されており、基本的には穴６の反対側の端部および溝形状の凹部７に向けて、対角線上に延びている。溝形状の凹部７に面する側で、舌８は複数のラチェット歯９を備えており、このラチェット歯９が帯部２の対応するラチェット歯10と接触するように意図されている。
【００１０】
端部４は、この端部４が穴６を通り抜けるのを妨げる形状を有しており、これにより挿入部３を降下させて凹部７へと導くことによって、例えばケーブルの束を緩やかに取り囲むような、オープン（開状態）可能なループを形成することができる。さらに、ケーブル結束体を締め付ける前に、必要に応じて当該ループにケーブルを挿入することができる。前述した従来のケーブル束線具では、舌８の頂部において貫通穴６に帯部３を通した後で、穴６の底部に向けて舌８が下方に押し付けられる。それは、歯９，10間を確実に係合させるのに十分な弾性が、常に生じるとは限らないことを意味し、結果として前述の問題を引き起こしてしまう。
【００１１】
本発明では、握りタブ４よりも薄く、且つ握りタブ４に挿入部３を連結する部分の周囲領域で、挿入部３に対し横断して延びる翼状の突起11を設けている。これらの各突起11は、握りタブ４に向けて、止め部としての隆起部12に末端を連結しており、固定ヘッド１の貫通穴６に挿入され、且つこの貫通穴６の向かい合った各壁を押圧する各突起11を備えて、上述した帯状ループを形成する隆起部が、固定ヘッド１に接するように設けられる。そして、各突起11が握りタブ４よりも薄いことによって、挿入部３と係合舌８との間にクリアランス（隙間）間隔13が生じ、これにより帯２にある歯10との係合を通して、舌８の歯９が有効に固定できるような位置に、舌８が常時確実に配置される。このクリアランス間隔13は、図３ｂから明確に視認できる。
【００１２】
図１および図３ａに示す好ましい実施態様では、前記各突起11や隆起部12が、握りタブ４に結合して一体化している。図３ｂに示す実施態様では、隆起部12から握りタブ４が形成されており、握りタブ４が独立した部分を構成している。
【図面の簡単な説明】
【００１３】
【図１】本発明に基づくケーブル結束具の平面図である。
【図２Ａ】帯部に沿ったケーブル束線具の断面図である。
【図２Ｂ】帯部を通したケーブル束線具の断面図である。
【図３Ａ】図１に示す実施形態において、本発明に基づくケーブル結束具の詳細な平面図である。
【図３Ｂ】本発明に基づくケーブル結束具の別な実施態様における詳細な平面図である。
【符号の説明】
【００１４】
１  固定ヘッド
２  帯部
３  挿入部
４  握りタブ
６  貫通穴
７  凹部
８  係合舌
９，10  歯
11  突起
12  隆起部
2006522580.tif 000003
2006522580.tif 000004
【国際調査報告】
2006522580.tif 000005
2006522580.tif 000006